(57)【特許請求の範囲】
【請求項１】
質問が入力される質問入力装置と通信する情報表示装置であって、
表示画像のうち前記質問の対象位置を示す質問対象位置情報を少なくとも含み、前記質問を特定可能な質問情報を受信する受信部と、
前記質問情報を記憶する記憶部と、
前記質問情報に基づいて質問画像を生成する質問画像作成部と、
前記質問画像作成部により生成された前記質問画像と前記表示画像とを合成して質問合成画像を作成する画像合成部と、
前記質問合成画像の表示を制御する表示制御部と、
前記質問の表示を要求する表示要求を受け付ける受付部と、
前記受付部で前記表示要求を受け付けた場合、前記記憶部に記憶された複数の前記質問情報に対応する複数の前記質問合成画像の表示時間の合計が、質疑応答が行われる時間を示す質疑応答時間内に収まるように、前記質問合成画像を表示する順番と、当該質問合成画像の表示時間とを対応付けたスケジュールテーブルを作成する作成部と、
前記スケジュールテーブルに基づいて、前記表示時間が経過するタイミングを通知する通知部と、を備え、
前記表示制御部は、前記質問の切り替えを要求する切替要求を受け付けた場合、前記スケジュールテーブルが示す順番に従って、前記質問合成画像の表示を切り替える、
ことを特徴とする情報表示装置。
【請求項２】
前記質問情報は、前記表示画像に対する前記質問の表示位置を示す質問表示位置情報を含み、
前記質問画像作成部は、前記質問情報に含まれる前記質問表示位置情報と前記質問対象位置情報を基に、前記質問画像の大きさを決定する、
請求項１に記載の情報表示装置。
【請求項３】
前記作成部は、前記スケジュールテーブルを作成した後、所定の条件が成立した場合は、前記スケジュールテーブルを修正する、
請求項１または２に記載の情報表示装置。
【請求項４】
前記所定の条件は、前記スケジュールテーブルが示す前記表示時間と、実際の前記表示時間とのずれが閾値を超えることである、
ことを特徴とする請求項３に記載の情報表示装置。
【請求項５】
前記所定の条件は、前記スケジュールテーブルを作成した後に、新たな前記質問情報を前記受信部で受信したことである、
ことを特徴とする請求項３に記載の情報表示装置。
【請求項６】
前記作成部は、前記スケジュールテーブルの修正を行う場合、未だ表示されていない前記質問の前記表示時間を均等に削減する、
ことを特徴とする請求項３乃至５のうちの何れか１項に記載の情報表示装置。
【請求項７】
前記作成部は、前記スケジュールテーブルの修正を行う場合、未だ表示されていない前記質問の優先度が低いほど、当該質問の前記表示時間の削減量を大きくする、
ことを特徴とする請求項３乃至５のうちの何れか１項に記載の情報表示装置。
【請求項８】
前記作成部は、前記スケジュールテーブルの修正を行う場合、未だ表示されていない前記質問のうち優先度が低い前記質問を前記スケジュールテーブルから削除する、
ことを特徴とする請求項３乃至５のうちの何れか１項に記載の情報表示装置。
【請求項９】
前記作成部は、優先度の高い前記質問については、表示される順番が早くなるとともに
、前記表示時間が長くなるように、前記スケジュールテーブルを作成する、
ことを特徴とする請求項１に記載の情報表示装置。
【請求項１０】
質問の入力を受け付ける第１の受付部と、
前記第１の受付部で受け付けた入力に応じて、表示画像のうち前記質問の対象位置を示す質問対象位置情報を少なくとも含み、前記質問を特定可能な質問情報を作成する質問情報作成部と、
前記質問情報を記憶する記憶部と、
前記質問情報に基づいて質問画像を生成する質問画像作成部と、
前記質問画像作成部により生成された前記質問画像と前記表示画像とを合成して質問合成画像を作成する画像合成部と、
前記質問合成画像の表示を制御する表示制御部と、
前記質問の表示を要求する表示要求を受け付ける第２の受付部と、
前記第２の受付部で前記表示要求を受け付けた場合、前記記憶部に記憶された複数の前記質問情報に対応する複数の前記質問合成画像の表示時間の合計が、質疑応答が行われる時間を示す質疑応答時間内に収まるように、前記質問合成画像を表示する順番と、当該質問合成画像の表示時間とを対応付けたスケジュールテーブルを作成する作成部と、
前記スケジュールテーブルに基づいて、前記表示時間が経過するタイミングを通知する通知部と、を備え、
前記表示制御部は、前記質問の切り替えを要求する切替要求を受け付けた場合、前記スケジュールテーブルが示す順番に従って、前記質問合成画像の表示を切り替える、
ことを特徴とする情報表示装置。
【請求項１１】
前記作成部は、前記スケジュールテーブルを作成した後、所定の条件が成立した場合は、前記スケジュールテーブルを修正する、
請求項１０に記載の情報表示装置。
【請求項１２】
質問が入力される質問入力装置と、前記質問入力装置と通信する情報表示装置とを備えた情報表示システムであって、
前記情報表示装置は、
表示画像のうち前記質問の対象位置を示す質問対象位置情報を少なくとも含み、前記質問を特定可能な質問情報を受信する受信部と、
前記質問情報を記憶する記憶部と、
前記質問情報に基づいて質問画像を生成する質問画像作成部と、
前記質問画像作成部により生成された前記質問画像と前記表示画像とを合成して質問合成画像を作成する画像合成部と、
前記質問合成画像の表示を制御する表示制御部と、
前記質問の表示を要求する表示要求を受け付ける受付部と、
前記受付部で前記表示要求を受け付けた場合、前記記憶部に記憶された複数の前記質問情報に対応する複数の前記質問合成画像の表示時間の合計が、質疑応答が行われる時間を示す質疑応答時間内に収まるように、前記質問合成画像を表示する順番と、当該質問合成画像の表示時間とを対応付けたスケジュールテーブルを作成する作成部と、
前記スケジュールテーブルに基づいて、前記表示時間が経過するタイミングを通知する通知部と、を備え、
前記表示制御部は、前記質問の切り替えを要求する切替要求を受け付けた場合、前記スケジュールテーブルが示す順番に従って、前記質問合成画像の表示を切り替える、
ことを特徴とする情報表示システム。
【請求項１３】
前記作成部は、前記スケジュールテーブルを作成した後、所定の条件が成立した場合は、前記スケジュールテーブルを修正する、
請求項１２に記載の情報表示システム。
【発明の詳細な説明】
【技術分野】
【０００１】
本発明は、情報表示装置および情報表示システムに関する。
【背景技術】
【０００２】
従来、オフィスや大学で行われる講義や説明会あるいは打ち合わせ等で、説明資料を事前に人数分印刷して配布しつつ、情報投影装置としてのプロジェクタを利用して、ＰＣ（Personal  Computer）上で作成した説明資料をスクリーンに投影するといった場面がある。このような場面には、ＰＣとプロジェクタとを、有線または無線で接続したプロジェクション関連の技術や、ＰＣからの資料の印刷という既存の技術を用いている。
【０００３】
一般的に、上述のようなプロジェクタを利用して複数のページにわたるスライド資料を参照しながら説明が行われるプレゼンテーションにおいては、発表時間が予め決められていることが多く、プレゼンターは、その時間内に発表を終えなければならない。プレゼンターが時間内に発表を終えるために、逐一時間の経過を把握しながら発表を行うことは手間がかかる。
【０００４】
そこで、その手間を軽減するため、次の方法が考えられている。例えば、特許文献１には、予めスライド毎に使う時間を登録しておき、プレゼンテーションの開始からの経過時間及びスライド単位の経過時間を計測し、プレゼンターに画像切り替えを指示することで発表時間を予定通りに使う技術が開示されている。
【発明の概要】
【発明が解決しようとする課題】
【０００５】
しかしながら、特許文献１に開示された技術のように、予めスライド毎に使う時間を登録してプレゼンテーションの時間を予定通りに使う方法では、スライドによる説明後に行われる質疑応答中の各質問時間までスケジューリングして、限られた時間内に効率的に質疑応答を行うことはできないという問題がある。
【０００６】
本発明は、上記に鑑みてなされたものであって、決められた時間内で効率的に質疑応答を行うことが可能な情報表示装置および情報表示システムを提供することを目的とする。
【課題を解決するための手段】
【０００７】
上述した課題を解決し、目的を達成するために、本発明の情報表示装置は、質問が入力される質問入力装置と通信する情報表示装置であって、表示画像のうち前記質問の対象位置を示す質問対象位置情報を少なくとも含み、前記質問を特定可能な質問情報を受信する受信部と、前記質問情報を記憶する記憶部と、前記質問情報に基づいて質問画像を生成する質問画像作成部と、前記質問画像作成部により生成された前記質問画像と前記表示画像とを合成して質問合成画像を作成する画像合成部と、前記質問合成画像の表示を制御する表示制御部と、前記質問の表示を要求する表示要求を受け付ける受付部と、前記受付部で前記表示要求を受け付けた場合、前記記憶部に記憶された複数の前記質問情報に対応する複数の前記質問合成画像の表示時間の合計が、質疑応答が行われる時間を示す質疑応答時間内に収まるように、前記質問合成画像を表示する順番と、当該質問合成画像の表示時間とを対応付けたスケジュールテーブルを作成する作成部と、前記スケジュールテーブルに基づいて、前記表示時間が経過するタイミングを通知する通知部と、を備え、前記表示制御部は、前記質問の切り替えを要求する切替要求を受け付けた場合、前記スケジュールテーブルが示す順番に従って、前記質問合成画像の表示を切り替えることを特徴とする。
【０００８】
また、本発明の情報表示システムは、質問が入力される質問入力装置と、前記質問入力装置と通信する情報表示装置とを備えた情報表示システムであって、前記情報表示装置は、表示画像のうち前記質問の対象位置を示す質問対象位置情報を少なくとも含み、前記質問を特定可能な質問情報を受信する受信部と、前記質問情報を記憶する記憶部と、前記質問情報に基づいて質問画像を生成する質問画像作成部と、前記質問画像生成部により生成された前記質問画像と前記表示画像とを合成して質問合成画像を作成する画像合成部と、前記質問合成画像の表示を制御する表示制御部と、前記質問の表示を要求する表示要求を受け付ける受付部と、前記受付部で前記表示要求を受け付けた場合、前記記憶部に記憶された複数の前記質問情報に対応する複数の前記質問合成画像の表示時間の合計が、質疑応答が行われる時間を示す質疑応答時間内に収まるように、前記質問合成画像を表示する順番と、当該質問合成画像の表示時間とを対応付けたスケジュールテーブルを作成する作成部と、前記スケジュールテーブルに基づいて、前記表示時間が経過するタイミングを通知する通知部と、を備え、前記表示制御部は、前記質問の切り替えを要求する切替要求を前記受付部で受け付けた場合、前記スケジュールテーブルが示す順番に従って、前記質問合成画像の表示を切り替えることを特徴とする。
【発明の効果】
【０００９】
本発明によれば、決められた時間内で効率的に質疑応答を行うことができるという有利な効果を奏する。
【図面の簡単な説明】
【００１０】
【図１】図１は、情報表示システムの概略構成例を示すブロック図である。
【図２】図２は、情報表示装置および質問入力装置の機能構成例を示すブロック図である。
【図３】図３は、ページ管理部の詳細な機能構成例を示すブロック図である。
【図４】図４は、質問情報の登録処理の一例を示すシーケンス図である。
【図５】図５は、重み付け情報の項目入力のための表示画像を示す図である。
【図６】図６は、質問情報のデータ構造を示す模式図である。
【図７】図７は、質問情報の具体例を示す模式図である。
【図８】図８は、質疑応答時間情報および再スケジュール設定情報の登録処理の一例を示すシーケンス図である。
【図９】図９は、再スケジュール設定情報の一例を示す図である。
【図１０】図１０は、再スケジュール設定情報の一例を示す図である。
【図１１】図１１は、質疑応答の開始処理を示すシーケンス図である。
【図１２】図１２は、スケジュールテーブルの一例を示す模式図である。
【図１３】図１３は、各質問の表示時間の決定方法の一例を示すフローチャートである。
【図１４】図１４は、再スケジュールの手順の一例を示すシーケンス図である。
【図１５】図１５は、再スケジュール処理の一例を示すフローチャートである。
【図１６】図１６は、均等短縮処理の一例を示すフローチャートである。
【図１７】図１７は、均等短縮処理の実施例を示す図である。
【図１８】図１８は、優先度別短縮処理の一例を示すフローチャートである。
【図１９】図１９は、優先度別短縮処理の実施例を示す図である。
【図２０】図２０は、質問数削減処理の一例を示すフローチャートである。
【図２１】図２１は、質問数削減処理の実施例を示す図である。
【図２２】図２２は、再スケジュールが完了したことを表示する場合の表示例を示す図である。
【図２３】図２３は、一部の再スケジュールに失敗したことを表示する場合の表示例を示す図である。
【図２４】図２４は、再スケジュールに全て失敗したことを表示する場合の表示例を示す図である。
【図２５】図２５は、再スケジュールの手順の一例を示すシーケンス図である。優先度別短縮処理の一例を質問情報の均等配分情報に基づく優先順位の決定例を示す説明図である。
【図２６】図２６は、均等短縮が選択されている場合の再スケジュール処理の概要を説明するための模式図である。
【図２７】図２７は、均等短縮が選択されている場合の再スケジュール処理の実施例を示す図である。
【図２８】図２８は、優先度別短縮が選択されている場合の再スケジュール処理の概要を説明するための図である。
【図２９】図２９は、優先度別短縮が選択されている場合の再スケジュール処理の実施例を示す図である。
【図３０】図３０は、質問数削減が選択されている場合の再スケジュール処理の概要を説明するための図である。
【図３１】図３１は、質問数削減が選択されている場合の再スケジュール処理の実施例を示す図である。
【図３２】図３２は、追加質問の優先度が残りの質問の優先度よりも低いため、スケジュールに追加できないことを表示する場合の表示例を示す図である。
【図３３】図３３は、変形例に係る情報表示装置の機能構成例を示すブロック図である。
【発明を実施するための形態】
【００１１】
以下、添付図面を参照しながら、本発明に係る情報表示装置および情報表示システムの実施の形態を詳細に説明する。
【００１２】
ここで、図１は情報表示システム４００の概略構成を示すブロック図、図２は情報表示装置１００および質問入力装置２００の機能構成例を示すブロック図である。本実施形態に係る情報表示システム４００は、情報表示装置１００と、複数のＰＣ（Personal  Computer）等の質問入力装置２００とを備え、それぞれがインターネットやＬＡＮ（Local  Area  Network）等のネットワーク３００に接続された構成となっている。
【００１３】
なお、本実施形態においては、情報表示装置１００は、投影スクリーンに文書データの内容を投影表示するプロジェクタで構成されるが、これに限定されるものではない。
【００１４】
まず、質問入力装置２００の詳細について説明する。質問入力装置２００は、図２に示すように、通信部２０１と、受付部２０２と、表示制御部２０３と、質問情報作成部２０４とを主に備えている。
【００１５】
通信部２０１は、情報表示装置１００との間で各種の情報や要求を送受信する。通信部２０１は、例えば後述する質問情報を情報表示装置１００に送信する。
【００１６】
表示制御部２０３は、通信部２０１を介して情報表示装置１００から取得した表示画像を、不図示の表示画面上に表示する制御を行う。
【００１７】
受付部２０２は、各種の入力を受け付ける。例えば、受付部２０２は、表示されている画像に対する質問表示位置、質問対象位置を指定する入力を受け付ける。また、受付部２０２は、表示されている画像に対する質問内容について、テキストでの入力を受け付ける。質問入力装置２００のユーザーは、マウスやキーボードなどの操作デバイスを操作することで、各種の入力を行うことができる。
【００１８】
質問情報作成部２０４は、受付部２０２で受け付けた質問内容情報、質問対象位置情報、質問表示位置情報を基に、質問情報を作成する。
【００１９】
次に、情報表示装置１００の詳細について説明する。情報表示装置１００は、図２に示すように、通信部１０１と、受付部１０２と、記憶部１０３と、表示制御部１０４と、ページ管理部１０５と、質問管理部１０６と、質問画像作成部１０７と、画像合成部１０８とを主に備えている。
【００２０】
通信部１０１は、質問入力装置２００との間で各種の情報や要求を送受信する。通信部１０１は、例えば、質問入力装置２００から送信される質問情報を受信する。
【００２１】
表示制御部１０４は、各種の画像データを、ユーザーによって指示された表示形態でスクリーンに投影表示する。
【００２２】
受付部１０２は、各種の入力を受け付ける。例えば、受付部１０２は、表示制御部１０４への投影表示の中断の指示を受け付ける。また、受付部１０２は、表示制御部１０４への投影表示の中断の後に投影表示を再開することを示す再開の指示の入力を受け付ける。ユーザーは、例えば、ボタン、リモコン受信部、および、ＩＣカードなどから情報を読取るカードリーダなどにより構成される入力デバイス（操作手段）を操作することで、各種の入力を行うことができる。
【００２３】
記憶部１０３は、ハードディスクドライブ装置（ＨＤＤ）等の記憶媒体であり、後述する文書データや、画像リスト等を記憶する。ここで、文書データには、プレゼンテーション資料作成ソフトウェアやワードプロセッサ等で生成されたデータ、あるいはこれらのデータから変換された表示用データ等が該当するが、これらに限定されるものではない。
【００２４】
ページ管理部１０５は、質問の表示を要求する質問表示要求を受付部１０２で受け付けた場合、各質問を表示する順番と表示時間をスケジューリングし、作成済みスケジュールに対して、実際にどこまで質問が完了しているかを管理する。また、スケジューリング後に、作成したスケジュールに対して時間がずれた際や、追加質問が発生した際に、スケジュールの修正を行う。図３は、ページ管理部１０５の詳細な機能構成例を示すブロック図である。図３に示すように、ページ管理部１０５は、作成部１１０と通知部１１１とを含む。作成部１１０は、質問入力装置２００から受信した複数の質問の各々について、当該質問を表示する順番と、当該質問を表示する時間を示す表示時間とを対応付けたスケジュールテーブルを作成する。通知部１１１は、作成部１１０で作成されたスケジュールテーブルに基づいて、表示時間が経過するタイミングを通知する。
【００２５】
再び図２に戻って説明を続ける。質問管理部１０６は、質問入力装置２００から質問情報を受信した場合、当該質問情報に対して識別管理情報である質問ＩＤや質問者ＩＤを付加する。
【００２６】
画像合成部１０８は、ページ管理部１０５から指定された質問情報を基に、質問管理部１０６に質問画像作成要求を行い、質問とスライドを合成した画像を作成する。
【００２７】
質問画像作成部１０７は、質問情報に含まれる質問表示位置情報と質問対象位置情報を基に、質問画像の大きさを決定し、質問内容と質問者名を描画する。
【００２８】
次に、以上のように構成された本実施形態の情報表示システム４００による質問情報の登録処理について説明する。図４は、質問情報の登録処理を示すシーケンス図である。
【００２９】
まず、ユーザーは、システムにアクセスする際に、質問入力装置２００に対して質問者ＩＤを入力する。質問者ＩＤの入力を受け付けた質問入力装置２００は、その受け付けた質問者ＩＤと、表示画像の取得の指示とを、通信部２０１を介して情報表示装置１００に送信する（ステップＳ１）。
【００３０】
情報表示装置１００の通信部１０１で表示画像取得の指示を受信した場合、ページ管理部１０５は、記憶部１０３から表示画像（表示用データ）を取得する（ステップＳ２）。
【００３１】
その後、情報表示装置１００は、取得した表示画像（表示用データ）を、通信部１０１を介して質問入力装置２００に送信する（ステップＳ３）。
【００３２】
質問入力装置２００の通信部２０１で表示画像を受信した場合、表示制御部２０３は、その受信した表示画像を表示する（ステップＳ４）。本実施形態では、情報表示装置１００によってスクリーンに投影表示される画像と同じ画像が、質問入力装置２００の表示画面に表示される。
【００３３】
そして、各種の画像データが順番にスクリーンに投影表示されるプレゼンテーション中において、質問入力装置２００のユーザー（質問者）は、不図示の操作デバイスを操作することにより、質問入力装置２００に表示される表示画像（スクリーンに投影される画像と同じ画像）に対する質問を入力することができる。表示画像に対する質問の入力を受付部２０２で受け付けた場合、質問情報作成部２０４は、受け付けた入力に基づいて、質問情報を作成する（ステップＳ５）。
【００３４】
ここで、図５は質問情報作成時の入力例を示す説明図である。図５に示すように、質問者は、操作デバイスを操作することにより、質問入力装置２００の表示画面上に表示された表示画像Ｐに対して、質問対象位置Ａと質問表示位置Ｂと質問対象ページＣとを指定するとともに質問内容を入力する。
【００３５】
上述の質問内容などの入力を受付部２０２で受け付けると、質問情報作成部２０４は、入力された質問内容情報、質問対象位置情報、質問表示位置情報、質問対象ページ情報を基に質問情報を作成する。
【００３６】
質問情報作成部２０４は、情報表示装置１００の記憶部１０３から図５に示すような表示画像Ｑを取得して表示画面上に表示させ、質問者に対して、質問の重み付け情報（例えば、質問優先度、参加役割重要度）について手動で入力させる。このようにして、質問者は、プレゼンテーションの内容、質問の重要度に応じて、自由に質問の重み付けを行うことができる。
【００３７】
なお、情報表示装置１００の質問管理部１０６が質問者のユーザー情報を保持しており、質問者ＩＤを基に重み付け情報の選択項目について自動で入力してもよい。このようにユーザーの情報を保持し、質問者からの質問情報登録時に、重み付け情報の選択項目を質問者に紐付けて保持することにより、ユーザー情報として固有の項目は、いちいち手動で入力しなくても、システムが自動で紐付けることができる。
【００３８】
重み付け情報（例えば、質問優先度）は、その質問に対する重み付け情報として、スケジューリングを行う際に利用する。詳細は後述する。
【００３９】
前述のステップＳ５の後、質問入力装置２００は、作成した質問情報を、通信部２０１を介して情報表示装置１００へ送信する（ステップＳ６）。
【００４０】
通信部１０１で質問入力装置２００からの質問情報を受信した場合、質問管理部１０６は、その受信した質問情報に対して、質問情報を識別する質問ＩＤを付加して質問情報を更新する（ステップＳ７）。
【００４１】
次に、情報表示装置１００は、質問情報を記憶部１０３に登録する（ステップＳ８）。
【００４２】
ここで、図６は質問情報のデータ構造の一例を示す模式図であり、図７は質問情報の具体例を示す模式図である。図６および図７に示すように、質問情報は、質問ＩＤ、質問内容情報、優先度情報（重み付け情報）などを含む。質問内容情報、優先度情報は質問入力装置２００で作成される。優先度情報は高い順から（３、２、１、０）の順で指定される。質問ＩＤは、情報表示装置１００で付加される。本実施形態では、受信した順番を示す番号が、質問ＩＤとして質問情報に付加される。
【００４３】
次に、質疑応答の時間に関する情報を示す質疑応答時間情報、後述の再スケジュールの設定を示す再スケジュール設定情報の登録処理について説明する。図８は、質疑応答時間情報、再スケジュール設定情報の登録処理を示すシーケンス図である。
【００４４】
情報表示装置１００のユーザー（プレゼンター）は、情報表示装置１００に付属する操作デバイス（例えばボタン、キーボード、マウス等）を操作することにより、質疑応答時間情報および再スケジュール設定情報を入力する。入力された質疑応答時間情報および再スケジュール設定情報を受付部１０２で受け付けた場合、ページ管理部１０５は、その受け付けた質疑応答時間情報および再スケジュール設定情報を記憶部１０３に登録する。
【００４５】
ここで、前述の質疑応答時間情報には、合計で何分の質疑応答を行うかを表す（質疑応答の全体時間）質疑応答時間と、１つの質問の質疑応答に少なくともどれだけの時間を設定するかを示す最低質疑時間とが含まれる。
【００４６】
図９および図１０は、再スケジュール設定情報の一例を示す図である。図９において、「再スケジュール」の項目は、再スケジュールの実行の可否を設定する項目であり、「有効」が選択された場合、所定の条件が成立すると、スケジュールテーブルの修正（再スケジュールの実行）が行われる。「再スケジュール方式」の項目は、再スケジュールの方法を設定する項目であり、ユーザーは、質問の表示時間を短縮する「質問時間短縮」方式、および、質問数を削減する「質問数削減」方式のうちの何れかを選択することができる。また、「再スケジュール方式」を選択した場合、ユーザーは、残りの質問（未実施の質問）に対して表示時間を均等に短縮する「均等短縮」方式、および、残りの質問に対して、質問の優先度に応じて表示時間の削減量を可変に設定する「優先度別短縮」方式のうちの何れかを選択することができる。
【００４７】
「再スケジュール開始時間」の項目は、作成したスケジュールに対してどれだけ時間がずれた場合に、再スケジュールが開始されるかを設定する項目である。例えば再スケジュール開始時間が「１２０秒」に設定されると、作成されたスケジュールテーブルが示す表示時間と、実際の表示時間とのずれが１２０秒を超えた場合に再スケジュールが実行される。「最大質疑延長時間」は、再スケジュールの開始時間に到達した時点で、質問の終了予定時刻を過ぎていた場合、その時点から、当該質問の表示を強制的に終了するまでの時間（最大延長時間）を設定する項目である。「追加質問」の項目は、スケジュールテーブルの作成後における追加質問の可否を設定する項目である。追加質問の項目において「有効」が選択された場合、スケジュールテーブルが作成された後でも（質疑応答が開始された後でも）、追加で質問を行うことが許可される。
【００４８】
図１０において、「再スケジュール開始閾値」は、再スケジュールを開始するタイミングを決定するための項目である。また、「最大質問削減時間」は、再スケジュールが実行される場合、未実施の各質問の表示時間の最大削減値を設定する項目である。
【００４９】
次に、情報表示装置１００における質疑応答の開始処理について説明する。図１１は、質疑応答の開始処理を示すシーケンス図である。
【００５０】
情報表示装置１００のユーザー（プレゼンター）は、プレゼンテーションが終了して質疑応答が開始すると、不図示の操作デバイスを操作することで、プレゼンテーション中に受け付けた質問の表示を要求する質問表示要求を入力する。受付部１０２で質問表示要求を受け付けた場合、ページ管理部１０５は、記憶部１０３に記憶された複数の質問情報を取得する（ステップ１１）。そして、ページ管理部１０５（作成部１１０）は、複数の質問情報で特定される質問の表示時間の合計が、予め設定された質疑応答時間内に収まるように、質問を表示する順番と、当該質問の表示時間とを対応付けたスケジュールテーブルを作成して保持する。すなわち、スケジューリングを実行する（ステップＳ１２）。
【００５１】
図１２は、スケジュールテーブルの一例を示す図である。図１２の例では、質問ごとに（質問ＩＤごとに）、当該質問を表示する順番と、当該質問の表示時間と、当該質問の実施状況とが対応付けられている。また、図１２の例では、質疑応答が完了した質問（つまりは、表示が終了した質問）の実施状況は「済」となり、質疑応答中の質問（表示中の質問）の実施状況は「実施中」となり、質疑応答が未実施の質問（未だ表示されていない質問）の実施状況は「未」となる。
【００５２】
図１３は、各質問の表示時間の決定方法の一例を示すフローチャートである。図１３に示すように、まずページ管理部１０５は、記憶部１０３から質疑応答時間情報を取得する（ステップＳ２１）。次に、ページ管理部１０５は、記憶部１０３から質問情報を取得する（ステップＳ２２）。次に、ページ管理部１０５は、ステップＳ２２で取得した質問情報に含まれる優先度情報に基づいて、質問を表示する順番を決定する（ステップＳ２３）。この例では、ページ管理部１０５は、優先度が高い質問ほど、表示する順番が早くなるように、各質問の表示順を決定する。例えば図７の例では、表示順は、質問ＩＤ２→質問ＩＤ１→質問ＩＤ３のようになる。
【００５３】
次に、ページ管理部１０５は、対応する質問数ｎを、質疑応答時間Ｔtotal／最低質疑時間Ｔminとし、ｎ＋１番目から登録された質問数Ｎ番目までの質問時間を０とする（ステップＳ２４）。
【００５４】
次に、ページ管理部１０５は、各質問に対し、重み付け情報Ｇｉに基づいて、表示時間Ｔｉを割り振る（ステップＳ２５）。表示時間Ｔｉは、下記の式で表すことができる。
Ｔｉ＝Ｔmin＋（Ｔtotal−ｉ・Ｔmin）×（Ｇｉ／Ｇ１＋Ｇ２＋・・・＋Ｇｎ）
【００５５】
このように優先度の高い質問に対して、表示順を早くし、長い表示時間を割り振ることで、質疑応答の実効性を高めることができる。
【００５６】
再び図１１に戻って説明を続ける。スケジュールテーブルを作成した後（スケジューリングの後）、ページ管理部１０５は、スケジュールテーブルが示す表示順に従って、画像合成部１０８に対する質問合成画像作成要求を行う（ステップＳ１３）。
【００５７】
次に、画像合成部１０８は、質問管理部１０６に対して質問画像作成要求を行い（ステップＳ１４）、質問管理部１０６は、質問画像作成部１０７に対して質問画像作成要求を行う（ステップＳ１５）。
【００５８】
次に、質問画像作成部１０７は、質問情報に基づいて質問画像を作成する（ステップＳ１６）。質問画像作成部１０７で作成された質問画像は、記憶部１０３に保存される。
【００５９】
次に、画像合成部１０８は、記憶部１０３から、これから表示を行う質問の質問画像と表示画像を取得し（ステップＳ１７）、表示画像に質問画像を合成して質問合成画像を作成する（ステップＳ１８）。そして、画像合成部１０８は、質問合成画像をページ管理部１０５へ渡す（ステップＳ１９）。ページ管理部１０５は、表示制御部１０４に対して、取得した質問合成画像を表示するように要求する（ステップＳ２０）。
【００６０】
ここで、ページ管理部１０５は、質問合成画像の表示を開始後、スケジュールテーブルで設定された当該質問の表示時間が経過するタイミング（時間）を通知する。より具体的には、ページ管理部１０５は、質問合成画像の表示を開始後、タイマーにより時間を計測し、表示制御部１０４に対して、スケジュールテーブルで設定された当該質問の表示時間が経過するタイミング（時間）を示す切替タイミングを表示するように要求する（ステップＳ２１）。なお、通知の方法は任意であり、例えばページ管理部１０５は、音声などによって、スケジュールテーブルで設定された表示時間が経過するタイミングを通知することもできる。
【００６１】
その後、情報表示装置１００のユーザー（プレゼンター）は、次の質問の質疑応答を行うために、不図示の操作デバイスを操作することで、質問の切り替えを要求する切替要求を入力する。その入力された切り替え要求を受付部１０２で受け付けた場合、ページ管理部１０５は、質問時間のタイマーをリセットして（ステップＳ２２）、スケジュールテーブルの実施状況を更新し（ステップＳ２３）、ページの切り替えを行う（ステップＳ２４）。そして、上述のステップＳ１３〜ステップＳ２０の処理を行うことで、次の質問の質問合成画像が表示される。
【００６２】
次に、情報表示装置１００が実行する再スケジュールについて説明する。情報表示装置１００は、スケジュールテーブルを作成した後、所定の条件が成立した場合は、予め設定された質疑応答時間内で質問の表示が完了するように、スケジュールテーブルを修正する（再スケジュールを実行する）。本実施形態における所定の条件は、スケジュールテーブルが示す表示時間と、実際の表示時間とのずれが閾値を超えること、あるいは、スケジュールテーブルを作成した後に、新たな質問情報を質問入力装置２００から受信したことである。
【００６３】
まず、スケジュールテーブルが作成された後、スケジュールテーブルが示す表示時間と、実際の表示時間とのずれが閾値を超えた場合に実行される再スケジュールについて説明する。図１４は、スケジュールテーブルが示す表示時間と、実際の表示時間とのずれが閾値を超えた場合に実行される再スケジュールの手順を示すシーケンス図である。ページ管理部１０５は、作成済みのスケジュールテーブルが示す表示時間と、実際の表示時間とのずれが予め設定された再スケジュール開始時間（図９参照）を超えたか否かを判断し（ステップＳ３１）、再スケジュール開始時間を越えたと判断した場合は、再スケジュールを実行する（ステップＳ３２）。その後のステップＳ３３以降の処理の内容は、図１１のステップＳ１３以降の処理と同様であるので、詳細な説明は省略する。
【００６４】
図１５は、再スケジュールの処理の一例を示すフローチャートである。まずページ管理部１０５は、実施状況が「実施中」の質問（現在の質問）と、当該質問の表示が開始されてから実際に経過した時間（経過時間）とを特定する（ステップＳ４１）。次に、ページ管理部１０５は、残り質疑予定時間を算出する（ステップＳ４２）。例えば現時点の時刻が、現在の質問の質疑応答が終了する予定の時刻を過ぎている場合、現時点から、予め設定された最大質疑延長時間（図９参照）を経過した時点が、現在の質問の質疑応答が終了する時刻となる。この場合、ページ管理部１０５は、最大延長時間と、残りの質問（未実施の質問）の表示時間とを合計することで、残り質疑応答時間を算出する。
【００６５】
次に、ページ管理部１０５は、現在の質問の経過時間が、予め設定された再スケジュール開始閾値以下であるか否かを判断する（ステップＳ４３）。ステップＳ４３の結果が肯定の場合、ページ管理部１０５は、実施済みの最後の質問から最大ｎ番目までの質問を再スケジュールの処理対象として特定する（ステップＳ４４）。一方、ステップＳ４３の結果が否定の場合、ページ管理部１０５は、実施済みの最後の質問から最大ｎ＋１番目までの質問を再スケジュールの処理対象として特定する（ステップＳ４５）。
【００６６】
次に、ページ管理部１０５は、再スケジュール方式として「質問時間短縮」（図９参照）が選択されているか否かを判断する（ステップＳ４６）。ステップＳ４６の結果が肯定の場合、ページ管理部１０５は、再スケジュール方式として「均等短縮」（図９参照）が選択されているか否かを判断する（ステップＳ４７）。ステップＳ４７の結果が肯定の場合、ページ管理部１０５は、均等短縮処理を実行する（ステップＳ４８）。
【００６７】
図１６は、均等短縮処理の一例を示すフローチャートである。まず、ページ管理部１０５は、スケジュールテーブルの残りの質問（未実施の質問）のそれぞれの表示時間から削減する時間（削減時間）を算出する（ステップＳ６１）。より具体的には、ページ管理部１０５は、ステップＳ４２で算出した残り質疑応答時間と、予め設定された質疑応答時間の終点との差を求めることで、総削減時間を算出する。そして、ページ管理部１０５は、その算出した総削減時間を、残りの質問数（再スケジュール対象の質問数）で除算することで、削減時間を算出する。次に、ページ管理部１０５は、残りの質問の表示時間を修正する（ステップＳ６２）。より具体的には、ページ管理部１０５は、残りの質問のそれぞれの表示時間から、ステップＳ６１で算出した削減時間を減算する。これにより、スケジュールテーブルが修正される。
【００６８】
図１７は、図１２に例示されるスケジュールテーブルが生成された後に、均等短縮処理が実施される例を示す図である。図１７の例では、現時点において、未だ質問ＩＤ２の質疑応答が続いており（質問ＩＤ２の表示が継続中であり）、質問ＩＤ２の表示が終了する予定の時刻と、現時点の時刻との差ｔｘ（スケジュールテーブルが示す表示時間と、実際の表示時間とのずれ）が、予め設定された再スケジュール開始時間を越えている。したがって、現時点において、再スケジュールが実行される。図１７の例では、再スケジュールの対象は質問ＩＤ１と質問ＩＤ３であり、予め設定された質疑応答時間内で質問の表示が完了するように、質問ＩＤ１および質問ＩＤ３のそれぞれの削減時間が共通に設定される。図１７の例では、現時点において、質問ＩＤ２の質疑応答が終了する予定の時刻を過ぎているので、現時点から、予め設定された最大質疑延長時間（図９参照）を経過した時点が、質問ＩＤ２の質疑応答が終了する時刻となり、ページ管理部１０５は、質疑開始時間から質問ＩＤ２の質疑応答が終了するまでの時間と、修正後（再スケジュール後）の質問ＩＤ１の表示時間と、修正後の質問ＩＤ３の表示時間との合計が、予め設定された質疑応答時間と等しくなるように、質問ＩＤ１および質問ＩＤ３のそれぞれの削減時間を共通に設定する。
【００６９】
再び図１５に戻って説明を続ける。前述のステップＳ４７の結果が否定の場合、ページ管理部１０５は、再スケジュール方式として優先度別短縮が選択されていると判断し、優先度別短縮処理を実行する（ステップＳ４９）。
【００７０】
図１８は、優先度別短縮処理の一例を示すフローチャートである。まず、ページ管理部１０５は、スケジュールテーブルの残りの質問（未実施の質問）のそれぞれの削減時間を、当該質問の優先度に応じて算出する（ステップＳ７１）。より具体的には、ページ管理部１０５は、予め設定された最大質問削減時間（図１０参照）の範囲内で、残りの質問のそれぞれの削減時間を、当該質問の優先度に応じて設定し、優先度が低いほど、削減時間が多くなるように設定する。次に、ページ管理部１０５は、残りの質問のそれぞれの削減時間の総和が、前述の総削減時間以上に到達したか否か（総削減時間を確保できたか）を判断する（ステップＳ７２）。総削減時間を確保できたと判断された場合は、処理が終了する。一方、総削減時間が確保できないと判断された場合は、処理は再びステップＳ７１に戻され、残りの質問のそれぞれの削減時間の算出がやり直される。
【００７１】
図１９は、図１２に例示されるスケジュールテーブルが生成された後に、優先度別短縮処理が実施される例を示す図である。図１９の例では、現時点において、未だ質問ＩＤ２の質疑応答が続いており（質問ＩＤ２の表示が継続中であり）、スケジュールテーブルが示す質問ＩＤ２の表示時間の終了予定時刻と、現時点の時間（時刻）との差ｔｘ（スケジュールテーブルが示す表示時間と、実際の表示時間とのずれ）が、予め設定された再スケジュール開始時間を越えている。したがって、現時点において、再スケジュールが実行される。図１９の例では、再スケジュールの対象は質問ＩＤ１と質問ＩＤ３であり、予め設定された質疑応答時間内で質問の表示が完了するように、質問ＩＤ１および質問ＩＤ３のそれぞれの削減時間が、当該質問の優先度に応じて可変に設定される。ここでは、ページ管理部１０５は、質疑開始時間から質問ＩＤ２の質疑応答が終了するまでの時間と、修正後（再スケジュール後）の質問ＩＤ１の表示時間と、修正後の質問ＩＤ３の表示時間との合計が、予め設定された質疑応答時間と等しくなるように、質問ＩＤ１および質問ＩＤ３のそれぞれの削減時間を設定する。図１２に示すように、質問ＩＤ１の優先度は質問ＩＤ３の優先度よりも高いので、質問ＩＤ１の削減時間は質問ＩＤ３の削減時間に比べて小さくなるように設定される。
【００７２】
再び図１５に戻って説明を続ける。前述のステップＳ４６の結果が否定の場合、ページ管理部１０５は、再スケジュール方式として質問数削減方式が選択されていると判断し、質問数削減処理を実行する（ステップＳ５０）。
【００７３】
図２０は、質問数削減処理の一例を示すフローチャートである。まず、ページ管理部１０５は、スケジュールテーブルの残りの質問（未実施の質問）のうち、優先度が最も低い質問を削除する（ステップＳ８１）。次に、ページ管理部１０５は、削除した質問の表示時間の合計が、前述の総削減時間以上に到達したか否か（総削減時間を確保できたか）を判断する（ステップＳ８２）。総削減時間を確保できたと判断された場合は、処理が終了する。一方、総削減時間が確保できないと判断された場合は、処理は再びステップＳ８１に戻され、残りの質問（前回の処理で削除された質問を除く）のうち、優先度が最も低い質問を削除した後、再びステップＳ８２の判断が行われる。
【００７４】
図２１は、図１２に例示されるスケジュールテーブルが生成された後に、質問数削減処理が実施される例を示す図である。図２１の例では、現時点において、未だ質問ＩＤ２の質疑応答が続いており（質問ＩＤ２の表示が継続中であり）、スケジュールテーブルが示す質問ＩＤ２の表示時間の終了予定時刻と、現時点の時間（時刻）との差ｔｘ（スケジュールテーブルが示す表示時間と、実際の表示時間とのずれ）が、予め設定された再スケジュール開始時間を越えている。したがって、現時点において、再スケジュールが実行される。図２１の例では、再スケジュールの対象は質問ＩＤ１と質問ＩＤ３であり、図１２からも理解されるように、質問ＩＤ３の優先度は質問ＩＤ１の優先度よりも低いので、当該質問ＩＤ３がスケジュールテーブルから削除される。ここでは、質問ＩＤ３の表示時間は、総削減時間を越えているので、質問ＩＤ３のみを削除することで、予め定められた質疑応答時間内に質問の表示を完了させることができる。要するに、ページ管理部１０５は、予め定められた質疑応答時間内で質問の表示が完了するように、残りの質問のうち最も優先度の低い質問をスケジュールテーブルから削除する。
【００７５】
再び図１５に戻って説明を続ける。前述のステップＳ４８、ステップＳ４９およびステップＳ５０の各々の処理が終了した後、ページ管理部１０５は、再スケジュールに必要な時間を確保できるか否か（残りの質問の全部を表示できるか否か）を判断する(ステップＳ５１)。再スケジュールに必要な時間を確保できると判断した場合は、ページ管理部１０５は、再スケジュールが完了したことを表示するように表示制御部１０４を制御する（ステップＳ５２）。図２２は、再スケジュールが完了したことを表示する場合の表示例を示す図である。図２２の例では、再スケジュールされた時間（修正された表示時間）が同時に表示される。
【００７６】
一方、前述のステップＳ５１において、再スケジュールに必要な時間を確保できないと判断した場合、ページ管理部１０５は、一部でも再スケジュールができるか否か（一部でも質問を表示できるか否か）を判断する（ステップＳ５２）。一部でも再スケジュールができると判断した場合、ページ管理部１０５は、一部の再スケジュールに失敗したことを表示するように表示制御部１０４を制御する（ステップＳ５３）。図２３は、一部の再スケジュールに失敗したことを表示する場合の表示例を示す図である。図２３の例では、残りの質疑時間（現在の質問ＩＤ２が終了する時点から、予め定められた質疑応答時間の終点に至るまでの時間）が不足しているために、一部の質問（ここでは質問ＩＤ３）を表示（実施）できない旨が表示されている。
【００７７】
また、前述のステップＳ５２において、一部も再スケジュールができないと判断した場合、ページ管理部１０５は、再スケジュールに失敗したことを表示するように表示制御部１０４を制御する（ステップＳ５４）。図２４は、再スケジュールに失敗したことを表示する場合の表示例を示す図である。図２４の例では、残りの質疑時間が不足しているために、現在の質問以外の質問を表示（実施）できない旨が表示されている。
【００７８】
次に、スケジュールテーブルが作成された後、新たな質問情報を質問入力装置２００から受信した場合に実行される再スケジュールについて説明する。図２５は、新たな質問情報を質問入力装置２００から受信した場合に実行される再スケジュールの手順を示すシーケンス図である。質問入力装置２００からの追加の質問情報を、情報表示装置１００の通信部１０１で受信した場合、質問管理部１０６は、その受信した質問情報に対して質問ＩＤを付加して質問情報を更新する（ステップＳ８３）。次に、質問管理部１０６は、その更新した質問情報を記憶部１０３に登録する（ステップＳ８４）。次に、ページ管理部１０５は、記憶部１０３に記憶された複数の質問情報を取得して再スケジュールを実行する（ステップＳ８５）。その後のステップＳ８６以降の処理の内容は、図１１のステップＳ１３以降の処理と同様であるので、詳細な説明は省略する。
【００７９】
図２６は、再スケジュール方式として「均等短縮」が選択されている場合の再スケジュール処理の概要を説明するための模式図である。図２６の例では、質問ＩＤ４の質問が追加された場合を想定している。ページ管理部１０５は、質問ＩＤ１〜質問ＩＤ４の質問情報に含まれる優先度情報（重み付け情報）を参照して表示の順番を決定するとともに、質問ＩＤ４の表示時間を決定する。質問ＩＤ４の表示時間は、例えば図１３で説明した方法で決定される。次に、ページ管理部１０５は、図２０の均等短縮処理を実行することで、未実施の質問（この例では質問ＩＤ１、質問ＩＤ３、質問ＩＤ４）のそれぞれの共通の削減時間を算出する。そして、ページ管理部１０５は、未実施の質問のそれぞれの表示時間から削減時間を減算することで、スケジュールテーブルの修正を行う。
【００８０】
図２７は、「均等短縮」が選択されている場合の再スケジュール処理の実施例（図２６の実施例）を示す図である。図２７の例では、現在の質問ＩＤ１の経過時間が、予め設定された再スケジュール開始閾値を下回るので、再スケジュールの対象は、質問ＩＤ１、質問ＩＤ４および質問ＩＤ３である。ページ管理部１０５は、予め設定された質疑応答時間内で質問の表示が完了するように、質問ＩＤ１、質問ＩＤ４および質問ＩＤ３のそれぞれの削減時間を共通に設定する。
【００８１】
図２８は、再スケジュール方式として「優先度別短縮」が選択されている場合の再スケジュール処理の概要を説明するための模式図である。図２８の例では、質問ＩＤ４の質問が追加された場合を想定している。ページ管理部１０５は、質問ＩＤ１〜質問ＩＤ４の質問情報に含まれる優先度情報（重み付け情報）を参照して表示の順番を決定するとともに、質問ＩＤ４の表示時間を決定する。質問ＩＤ４の表示時間は、例えば図１３で説明した方法で決定される。次に、ページ管理部１０５は、図１８の優先度別短縮処理を実行することで、未実施の質問（この例では質問ＩＤ１、質問ＩＤ３、質問ＩＤ４）のそれぞれの削減時間を、当該質問の優先度に応じて算出する。そして、ページ管理部１０５は、未実施の質問のそれぞれの表示時間から削減時間を減算することで、スケジュールテーブルの修正を行う。
【００８２】
図２９は、「優先度別短縮」が選択されている場合の再スケジュール処理の実施例（図２８の実施例）を示す図である。図２９の例では、現在の質問ＩＤ１の経過時間が、予め設定された再スケジュール開始閾値を下回るので、再スケジュールの対象は、質問ＩＤ１、質問ＩＤ４および質問ＩＤ３である。ページ管理部１０５は、予め設定された質疑応答時間内で質問の表示が完了するように、質問ＩＤ１、質問ＩＤ４および質問ＩＤ３のそれぞれの削減時間を、当該質問の優先度に応じて可変に設定する。図２９の例では、質問ＩＤ３の優先度が低いので、質問ＩＤの表示時間の削減量が多くなるように設定されている。
【００８３】
図３０は、再スケジュール方式として「質問数削減」が選択されている場合の再スケジュール処理の概要を説明するための模式図である。図３０の例では、質問ＩＤ４の質問が追加された場合を想定している。ページ管理部１０５は、質問ＩＤ１〜質問ＩＤ４の質問情報に含まれる優先度情報（重み付け情報）を参照して表示の順番を決定するとともに、質問ＩＤ４の表示時間を決定する。質問ＩＤ４の表示時間は、例えば図１３で説明した方法で決定される。次に、ページ管理部１０５は、図２０の質問数削減処理を実行することで、予め設定された質疑応答時間内で質問の表示が完了するように、優先度の低い質問を削除する。これにより、スケジュールテーブルの修正を行う。図３０の例では、最も優先度が低い質問ＩＤ３がスケジュールテーブルから削除されている。
【００８４】
図３１は、再スケジュール方式として「質問数削減」が選択されている場合の再スケジュール処理の実施例（図３０の実施例）を示す図である。図３１の例では、現在の質問ＩＤ１の経過時間が、予め設定された再スケジュール開始閾値を下回るので、再スケジュールの対象は、質問ＩＤ１、質問ＩＤ４および質問ＩＤ３である。ページ管理部１０５は、予め設定された質疑応答時間内で質問の表示が完了するように、未実施の質問（質問ＩＤ１、質問ＩＤ４および質問ＩＤ３）のうち優先度の低い質問を削除する。図３１の例では、最も優先度の低い質問ＩＤ３が削除されている。
【００８５】
図３２は、上述の再スケジュール（スケジュールテーブルが作成された後、新たな質問情報を質問入力装置２００から受信した場合に実行される再スケジュール）の処理において、一部の再スケジュールに失敗したことを表示する場合（図１５のステップＳ５４）の表示例を示す図である。図３２の例では、残りの質疑時間が不足しているために、一部の質疑を実施できない旨が表示されている。この例では、追加質問（ここではＩＤ５）の優先度が残りの質問の優先度よりも低いため、スケジュールに追加できないことを示している。
【００８６】
以上に説明したように、本実施形態では、質問の表示の順番と、当該質問の表示時間とを対応付けたスケジュールテーブルを作成した後において、作成したスケジュールテーブルが示す表示時間と実際の表示時間とがずれた際や、追加質問が発生した際に、スケジュールテーブルの修正を行うので、より効率的に質疑応答を行うことができるという有利な効果を奏する。
【００８７】
本実施形態の情報表示装置１００および質問入力装置は、ＣＰＵなどの制御装置、ＲＯＭ（Read  Only  Memory）やＲＡＭなどの記憶装置、ＨＤＤ、ＣＤドライブ装置などの外部記憶装置などを備えており、通常のコンピュータを利用したハードウェア構成となっている。
【００８８】
本実施形態の情報表示装置１００および質問入力装置２００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００８９】
また、本実施形態の情報表示装置１００および質問入力装置２００で実行されるプログラムを、インターネット等のネットワークに接続されたコンピュータ上に格納し、ネットワーク経由でダウンロードさせることにより提供するように構成しても良い。また、本実施形態の情報表示装置１００で実行されるプログラムをインターネット等のネットワーク経由で提供または配布するように構成しても良い。
【００９０】
また、本実施形態のプログラムを、ＲＯＭ等に予め組み込んで提供するように構成してもよい。
【００９１】
本実施形態の情報表示装置１００で実行されるプログラムは、上述した各部（通信部１０１、受付部１０２、表示制御部１０４、ページ管理部１０５、質問管理部１０６、質問画像作成部１０７、画像合成部１０８）を含むモジュール構成となっており、実際のハードウェアとしてはＣＰＵ（プロセッサ）が上記記憶媒体からプログラムを読み出して実行することにより上記各部が主記憶装置上にロードされ、通信部１０１、受付部１０２、表示制御部１０４、ページ管理部１０５、質問管理部１０６、質問画像作成部１０７、画像合成部１０８が主記憶装置上に生成されるようになっている。なお、記憶部１０３は、ハードウェアで実現される要素であり、ＲＯＭ、ＲＡＭ、外部記憶装置などで構成され得る。また、本実施形態の質問入力装置２００で実行されるプログラムは、上述した各部（通信部２０１、受付部２０２、表示制御部２０３、質問情報作成部２０４）を含むモジュール構成となっており、実際のハードウェアとしてはＣＰＵ（プロセッサ）が上記記憶媒体からプログラムを読み出して実行することにより上記各部が主記憶装置上にロードされ、通信部２０１、受付部２０２、表示制御部２０３、質問情報作成部２０４が主記憶装置上に生成されるようになっている。
【００９２】
なお、本実施の形態においては、情報表示システム４００を情報表示装置１００と質問入力装置２００とをネットワーク３００に接続した構成としたが、これに限るものではなく、図３３に示すように、質問入力装置２００の機能を情報表示装置１００に備えるようにしても良い。
【符号の説明】
【００９３】
１００  情報表示装置
１０１  通信部
１０２  受付部
１０３  記憶部
１０４  表示制御部
１０５  ページ管理部
１０６  質問管理部
１０７  質問画像作成部
１０８  画像合成部
１１０  作成部
１１１  通知部
２００  質問入力装置
２０１  通信部
２０２  受付部
２０３  表示制御部
２０４  質問情報作成部
４００  情報表示システム
【先行技術文献】
【特許文献】
【００９４】
【特許文献１】特開２００３−１６２２７４号公報
【図１】
0005884312.tif 000002
【図２】
0005884312.tif 000003
【図３】
0005884312.tif 000004
【図４】
0005884312.tif 000005
【図５】
0005884312.tif 000006
【図６】
0005884312.tif 000007
【図７】
0005884312.tif 000008
【図８】
0005884312.tif 000009
【図９】
0005884312.tif 000010
【図１０】
0005884312.tif 000011
【図１１】
0005884312.tif 000012
【図１２】
0005884312.tif 000013
【図１３】
0005884312.tif 000014
【図１４】
0005884312.tif 000015
【図１５】
0005884312.tif 000016
【図１６】
0005884312.tif 000017
【図１７】
0005884312.tif 000018
【図１８】
0005884312.tif 000019
【図１９】
0005884312.tif 000020
【図２０】
0005884312.tif 000021
【図２１】
0005884312.tif 000022
【図２２】
0005884312.tif 000023
【図２３】
0005884312.tif 000024
【図２４】
0005884312.tif 000025
【図２５】
0005884312.tif 000026
【図２６】
0005884312.tif 000027
【図２７】
0005884312.tif 000028
【図２８】
0005884312.tif 000029
【図２９】
0005884312.tif 000030
【図３０】
0005884312.tif 000031
【図３１】
0005884312.tif 000032
【図３２】
0005884312.tif 000033
【図３３】
0005884312.tif 000034